(57)【要約】【課題】無線通信システムにおいて制御チャネル・メッセージの誤検出を低減するための方法とシステムとが開示される。この方法とシステムは、無線通信網における制御チャネル・メッセージのブラインド検出の実現を容易にする。【解決手段】本発明の一実施形態においては、無線通信システム内の複数の制御メッセージは、制御チャネル・メッセージの誤検出が起きる確率を最小化する、または低減するためにランダム化され、またはスクランブル処理される。制御メッセージは、A-A-MAP（Assignment  Advanced  Media  Access  Protocol）IE（Information  Element）およびこれと同様のものを含むがこれらに限定されない。本発明の一実施形態においては、A-A-MAP  IEの内容は、A-A-MAPシンボルへと符号化される前に、ランダム化され、あるいはスクランブル処理がされる。【選択図】図１
2013526100.tif 000002
【特許請求の範囲】
【請求項１】
A-A-MAP（Assignment  Advanced  Media  Access  Protocol）IE（Information  Element）を生成するロジック；および、
ランダム化されたA-A-MAP  IEを生成するロジック、
を備える装置。
【請求項２】
前記ランダム化されたA-A-MAP  IEを生成するロジックは、
ＰＲＢＳ（擬似ランダム・バイナリ系列）を生成するロジックを備え、前記ＰＲＢＳの前記生成は、少なくとも部分的には、前記A-A-MAP  IEおよびA-A-MAPのＣＲＣマスクに基づく、請求項１記載の装置。
【請求項３】
前記A-A-MAP  IEは、ＡＭＳ（Advanced  Mobile  Station）と関係付けられ、前記A-A-MAPのＣＲＣマスクは、前記ＡＭＳのＳＴＩＤ（Station  Identification）を備える、請求項２記載の装置。
【請求項４】
前記ランダム化されたA-A-MAP  IEに基づいて、ＣＲＣ（Cyclic  Redundancy  Check）チェックサムを生成するロジック；
前記生成されたＣＲＣチェックサムに対して、ＣＲＣマスクとの間で排他的論理和演算を実行し、マスク処理がされたＣＲＣチェックサムを生成するロジック；および、
前記マスク処理がされたＣＲＣチェックサムを、前記ランダム化されたA-A-MAP  IEの末尾に付加するロジック、
をさらに備える請求項１記載の装置。
【請求項５】
前記ランダム化されたA-A-MAP  IEおよび前記マスク処理がされたＣＲＣチェックサムに対してチャネル符号化処理を実行して、チャネル符号化済みのデータを生成するロジック；
チャネル符号化済みのデータに対してＱＰＳＫ（Quadrature  Phase  Shift  Keying）変調を実行して、ＱＰＳＫ変調済みのデータを生成するロジック；および、
前記ＱＰＳＫ変調済みのデータに対して、ＭＩＭＯ（Multiple-Input  Multiple-Output）エンコーディング処理を実行して、複数のA-A-MAPシンボルを生成するロジック、
をさらに備える、請求項４記載の装置。
【請求項６】
前記A-A-MAP  IEは、下りリンク（ＤＬ）基本A-A-MAP  IE、上りリンク（ＵＬ）基本A-A-MAP  IE、ＤＬサブバンドA-A-MAP  IE、ＵＬサブバンドA-A-MAP  IE、フィードバック割り当てA-A-MAP  IE、ＵＬ鳴動コマンドA-MAP  IE、符号分割多重アクセス（ＣＤＭＡ）A-MAP  IE、ＤＬ永続割り当てA-MAP  IE、ＵＬ永続割り当てA-MAP  IE、フィードバック・ポーリングA-MAP  IEの中のいずれか一つを備える請求項１記載の装置。
【請求項７】
前記装置は、IEEE（Institute  of  Electrical  and  Electronic  Engineers）802.16m標準規格および３ＧＰＰ（3rd  Generation  Partnership  Project）ＬＴＥ（Long  Term  Evolution）標準規格のいずれか一つに少なくとも部分的に準拠して動作可能である、請求項１記載の装置。
【請求項８】
ランダム化されたA-A-MAP  IEを受信するロジック；
前記受信された前記ランダム化されたA-A-MAP  IEに対して逆スクランブル処理を実行し、逆スクランブル済みのA-A-MAP  IEを取得するロジック；および、
前記逆スクランブル済みのA-A-MAP  IEが破損しているか否かを判定するロジック、
を備える装置。
【請求項９】
前記受信された前記ランダム化されたA-A-MAP  IEに対して前記逆スクランブル処理を実行し、前記逆スクランブル済みのA-A-MAP  IEを取得する前記ロジックは、
前記受信された前記ランダム化されたA-A-MAP  IEに対して、ＣＲＣ（Cyclic  Redundancy  Check）マスクとの間で排他的論理和演算を実行して、前記逆スクランブル済みのA-A-MAPを生成するロジックを備える、請求項８記載の装置。
【請求項１０】
前記ＣＲＣマスクは、前記装置の識別子を備える、請求項９記載の装置。
【請求項１１】
前記逆スクランブル済みのA-A-MAP  IEが破損しているか否かを前記判定する前記ロジックは、
前記逆スクランブル済みのA-A-MAP  IE内の一つ以上の部分が、予め定められた値に従って設定されているか否かを判定するロジックを備える、請求項８記載の装置。
【請求項１２】
前記逆スクランブル済みのA-A-MAP  IEが破損しているか否かを前記判定する前記ロジックは、
前記逆スクランブル済みのA-A-MAP  IE内の一つ以上の部分が、予め定められた値を超えて設定されているか否かを判定するロジックを備える、請求項８記載の装置。
【請求項１３】
前記逆スクランブル済みのA-A-MAP  IE内の前記一つ以上の部分は、前記逆スクランブル済みのA-A-MAP  IE内において、予約ビットのフィールドおよび一定値に固定されたフィールドのいずれか一つ以上を備える請求項１１記載の装置。
【請求項１４】
複数のA-A-MAPシンボルを受信するロジック；
前記複数のA-A-MAPシンボルに対してＭＩＭＯ（Multiple-Input  Multiple-Output）デコーディング処理を実行して、A-A-MAPの変調済みのデータを生成するロジック；
前記A-A-MAPの変調済みのデータに対してＱＰＳＫ（Quadrature  Phase  Shift  Keying）復調を実行して、ＱＰＳＫ復調済みのデータを生成するロジック；および、
前記ＱＰＳＫ復調済みのデータに対してチャネル復号化処理を実行して、チャネル復号化済みのデータを生成するロジック、
をさらに備える請求項９記載の装置。
【請求項１５】
前記チャネル復号化済みのデータは、前記受信された前記ランダム化されたA-A-MAP  IEおよびマスク処理されたＣＲＣを備え、
前記装置は、
前記マスク処理されたＣＲＣに対して、ＣＲＣマスクとの間でのビット単位の排他的論理和演算を実行して、ＣＲＣチェックサムを生成するロジック；および、
前記ＣＲＣチェックサムが正しいか否かを検査するロジック、
をさらに備える、請求項１４記載の装置。
【請求項１６】
前記逆スクランブル処理されたA-A-MAP  IEは、ユニキャスト送信されるA-A-MAP  IEであり、
前記ユニキャスト送信されるA-A-MAP  IEは、下りリンク（ＤＬ）基本A-A-MAP  IE、上りリンク（ＵＬ）基本A-A-MAP  IE、ＤＬサブバンドA-A-MAP  IE、ＵＬサブバンドA-A-MAP  IE、フィードバック割り当てA-A-MAP  IE、ＵＬ鳴動コマンドA-MAP  IE、符号分割多重アクセス（ＣＤＭＡ）A-MAP  IE、ＤＬ永続割り当てA-MAP  IE、ＵＬ永続割り当てA-MAP  IE、およびフィードバック・ポーリングA-MAP  IEの中のいずれか一つを備える、請求項８記載の装置。
【請求項１７】
前記装置は、IEEE（Institute  of  Electrical  and  Electronic  Engineers）802.16m標準規格および３ＧＰＰ（3rd  Generation  Partnership  Project）ＬＴＥ（Long  Term  Evolution）標準規格のいずれか一つに少なくとも部分的に準拠して動作可能である、請求項８記載の装置。
【請求項１８】
A-A-MAP（Assignment  Advanced  Media  Access  Protocol）IE（Information  Element）を符号化処理することにより、複数のA-A-MAPシンボルを構築するステップであって、A-A-MAP  IEはランダム化されるステップ、
を備える方法。
【請求項１９】
ＰＲＢＳ（擬似ランダム・バイナリ系列）を生成するステップをさらに備え、前記ＰＲＢＳの前記生成は、少なくとも部分的には、前記A-A-MAP  IEおよびA-A-MAPのＣＲＣ（Cyclic  Redundancy  Check）マスクに基づき、前記ランダム化されたA-A-MAP  IEは、前記生成された前記ＰＲＢＳを備える、請求項１８記載の方法。
【請求項２０】
前記A-A-MAP  IEは、ＡＭＳ（Advanced  Mobile  Station）と関係付けられ、前記A-A-MAPのＣＲＣマスクは、前記ＡＭＳのＳＴＩＤ（Station  Identification）を備える、請求項１９記載の方法。
【請求項２１】
前記A-A-MAP  IEを前記符号化処理することにより、前記複数のA-A-MAPシンボルを前記構築する前記ステップは、
前記ランダム化されたA-A-MAP  IEに基づいて、ＣＲＣ（Cyclic  Redundancy  Check）チェックサムを生成するステップ；
前記生成されたＣＲＣチェックサムに対して、ＣＲＣマスクとの間で排他的論理和演算を実行し、マスク処理がされたＣＲＣチェックサムを生成するステップ；および、
前記マスク処理がされたＣＲＣチェックサムを、前記ランダム化されたA-A-MAP  IEの末尾に付加するステップ、
を備える請求項１９記載の方法。
【請求項２２】
前記A-A-MAP  IEを前記符号化処理することにより、前記複数のA-A-MAPシンボルを前記構築する前記ステップは、
前記ランダム化されたA-A-MAP  IEおよび前記マスク処理がされたＣＲＣチェックサムに対してチャネル符号化処理を実行して、チャネル符号化済みのデータを生成するステップ；
チャネル符号化済みのデータに対してＱＰＳＫ（Quadrature  Phase  Shift  Keying）変調を実行して、ＱＰＳＫ変調済みのデータを生成するステップ；および、
前記ＱＰＳＫ変調済みのデータに対して、ＭＩＭＯ（Multiple-Input  Multiple-Output）エンコーディング処理を実行して、複数のA-A-MAPシンボルを生成するステップ、
をさらに備える、請求項２１記載の方法。
【請求項２３】
受信したランダム化されたA-A-MAP  IEに対して逆スクランブル処理を実行し、逆スクランブル済みのA-A-MAP  IEを取得するステップ；および、
前記逆スクランブル済みのA-A-MAP  IEが破損しているか否かを判定するステップ、
を備える方法。
【請求項２４】
前記受信したランダム化されたA-A-MAP  IEに対して前記逆スクランブル処理を実行し、前記逆スクランブル済みのA-A-MAP  IEを取得する前記ロジックは、
前記受信された前記ランダム化されたA-A-MAP  IEに対して、ＣＲＣ（Cyclic  Redundancy  Check）マスクとの間で排他的論理和演算を実行して、前記逆スクランブル済みのA-A-MAPを生成するステップを備える、請求項２３記載の方法。
【請求項２５】
前記逆スクランブル済みのA-A-MAP  IEが破損しているか否かを前記判定する前記ステップは、
前記逆スクランブル済みのA-A-MAP  IE内の一つ以上の部分が、予め定められた値に従って設定されているか否かを判定する、あるいは、予め定められた値を超えて設定されているか否かを判定するステップを備える、請求項２３記載の方法であって、
前記逆スクランブル済みのA-A-MAP  IE内の前記一つ以上の部分は、前記逆スクランブル済みのA-A-MAP  IE内において、予約ビットのフィールドおよび一定値に固定されたフィールドのいずれか一つ以上を備える、方法。
【請求項２６】
複数のA-A-MAPシンボルを受信するステップ；
前記複数のA-A-MAPシンボルに対してＭＩＭＯ（Multiple-Input  Multiple-Output）デコーディング処理を実行して、A-A-MAPの変調済みのデータを生成するステップ；
前記A-A-MAPの変調済みのデータに対してＱＰＳＫ（Quadrature  Phase  Shift  Keying）復調を実行して、ＱＰＳＫ復調済みのデータを生成するステップ；および、
前記ＱＰＳＫ復調済みのデータに対してチャネル復号化処理を実行して、チャネル復号化済みのデータを生成するステップ、
をさらに備える請求項２３記載の方法。
【請求項２７】
前記チャネル復号化済みのデータは、前記受信された前記ランダム化されたA-A-MAP  IEおよびマスク処理されたＣＲＣを備え、
前記方法は、
前記マスク処理されたＣＲＣに対して、ＣＲＣマスクとの間でのビット単位の排他的論理和演算を実行して、ＣＲＣチェックサムを生成するステップ；および、
前記ＣＲＣチェックサムが正しいか否かを検査するステップ、
をさらに備える、請求項２６記載の方法。
【発明の詳細な説明】
【技術分野】
【０００１】
本発明は、誤検出の問題と関係し、より具体的には、無線網における制御チャネル・メッセージの誤検出を低減するための方法とシステムとに関係するが、これだけに限定されない。
【背景技術】
【０００２】
無線網においては、基地局は、先進的媒体アクセスプロトコル割り当て（A-A-MAP（Assignment  Advanced  Media  Access  Protocol））のような制御チャネル・メッセージを当該無線網内の先進的移動局（AMS（Advanced  Mobile  Stations））に対して送信する。AMSの各々は、基地局からの複数のA-A-MAPを復号化し、当該AMSが当該A-A-MAPの意図された受信者であるか否かを判定する。幾つかのケースにおいては、以下のような時に、A-A-MAPの誤検出が発生する可能性がある。特定のA-A-MAPが特定のAMS以外の他のAMSを受信者として意図している際に、当該特定のAMSが自分自身を当該特定のA-A-MAPの受信者であると誤って判定する時である。
【先行技術文献】
【非特許文献】
【０００３】
【非特許文献１】「ローカルエリア・ネットワーク」における具体的な要求仕様の第１１節“無線ＬＡＮにおける媒体アクセス制御（ＭＡＣ）層および物理（ＰＨＹ）層”、「ＩＳＯ／ＩＥＣ  ８８０２−１１：  １９９９年発行」として標準化済み
【非特許文献２】「メトロポリタンエリア・ネットワーク」における具体的な要求仕様の第１６節“固定型の広帯域無線アクセスシステムに関する無線インターフェース”の２００５年５月時点の標準化ドラフトおよびそれ以降の改訂版
【発明の概要】
【発明が解決しようとする課題】
【０００４】
上りリンク上のA-A-MAPの誤検出があった際、誤検出を起こしたAMSは誤ったリソースを使用してデータを送信することがあり得る。その結果、当該AMSは、他の重要なトラフィック伝送との間で衝突を引き起こすことがあり得る。この事は、上りリンク上のHARQ（Hybrid  Automatic  Repeat  Request）伝送に対するシステム・レベルの悪影響を生じさせる。下りリンク上のA-A-MAPの誤検出があり、さらに、A-A-MAPの情報要素（IE（Information  Element））の内容が復号化の際に復号エラーを起こすならば、誤検出を起こしたAMSは、データのバースト伝送を正確に復号化することが出来ないだろう。下りリンク上のA-A-MAPの誤検出があり、さらに、A-A-MAPの情報要素（IE（Information  Element））の内容がエラーを全く起さずに復号化されるならば、誤検出を起こしたAMSは、該当する物理的データを正確に復号化し、その結果を上位層に渡すことが出来るが、その結果として、ARQレベルの破損が生じ得る。
【課題を解決するための手段】
【０００５】
本発明の課題は、特許請求の範囲に記載された装置または方法により解決される。なお、以下の図面の簡単な説明において説明する図面と共に、以下の発明の詳細な説明を参照することにより、本発明に係る複数の実施形態の特徴と技術的利点が明らかとなるであろう。
【図面の簡単な説明】
【０００６】
【図１】本発明に係る一実施形態に従う無線通信網を示す図
【図２】本発明に係る一実施形態に従う時分割２重通信モードにおける先進的ＭＡＰの配置を示す図
【図３】本発明に係る一実施形態に従うＡ−ＭＡＰ領域の構造を示す図
【図４】本発明に係る一実施形態に従って実施される、Ａ−Ａ−ＭＡＰシンボルへ到達するＡ−Ａ−ＭＡＰ  ＩＥの符号化チェーンを示す図
【図５】本発明に係る一実施形態に従って実施される、Ａ−Ａ−ＭＡＰ  ＩＥへと到達するＡ−Ａ−ＭＡＰシンボルの復号化チェーンを示す図
【図６】本発明に係る一実施形態に従う擬似ランダム・バイナリ系列モジュールを示す図
【図７】本発明に係る一実施形態に従うスクランブル動作のフローチャートを示す図
【図８】本発明に係る一実施形態に従う逆スクランブル動作のフローチャートを示す図
【図９】本明細書中に開示され、本発明に係る一実施形態に従う方法を実施するためのシステムを示す図
【発明を実施するための形態】
【０００７】
本明細書中で説明されている本発明の実施形態は、添付した図面において、限定列挙的な態様ではなく、例示としての態様で図示されている。説明の簡単さと明瞭さのために、図面中で図示されている各構成要素は、必ずしも実際の寸法と整合するようには描かれていない。例えば、明瞭さのために、一部の構成要素の寸法は、その他の構成要素と比べて、相対的に誇張された寸法とされる場合がある。さらに、適切であると考えられる場合には、同一の参照番号が複数の図面に渡って繰り返し現れている。これは、それらの参照番号が、異なる図面間で対応する、または同様である構成要素を表すためである。本明細書中においては、本発明に関する「単一の実施形態」または「一実施形態」との表現は、当該実施形態との関係において説明されている技術的特徴、技術的構成または特性が本発明に係る実施形態の中の少なくとも一つに含まれていることを表す。従って、本明細書の全体に渡って様々な箇所で「一実施形態において」という表現が現れることは、それら全てが必ずしも同一の実施形態を指しているとは限らない。
【０００８】
本発明の複数の実施形態は、無線通信網における制御チャネル・メッセージの誤検出を低減するための方法とシステムを実現する。これは、無線通信網における制御チャネル・メッセージのブラインド検出の実現を容易にする。本発明の一実施形態においては、無線通信システム内の複数の制御メッセージは、制御チャネル・メッセージの誤検出が起きる確率を最小化する、または低減するためにランダム化され、またはスクランブル処理される。制御メッセージは、A-A-MAP（Assignment  Advanced  Media  Access  Protocol）IE（Information  Element）およびこれと同様のものを含むがこれらに限定されない。本発明の一実施形態においては、A-A-MAP  IEの内容は、A-A-MAPシンボルへと符号化される前に、ランダム化され、あるいはスクランブル処理がされる。
【０００９】
図１は、本発明に係る一実施形態に従う無線通信網１００を図示している。無線通信網１００は、図面中において１３０および１４０として包括的に示されている複数の有線および／または無線のネットワークを含む。特に、無線通信網１００は、無線ローカルエリア・ネットワーク（ＷＬＡＮ）１３０および無線メトロポリタンエリア・ネットワーク（ＷＭＡＮ）１４０を備えることが可能である。図１は２つの無線ネットワークを図示しているけれども、無線通信網１００は、更なる追加の無線通信ネットワーク、またはより少ない無線通信ネットワークを含むことが可能であり、さらには、一つ以上の有線ネットワークを含むことも可能である。例えば、無線通信網１００は、更なる追加のＷＭＡＮ，ＷＬＡＮおよび／または無線パーソナルエリア・ネットワーク（ＷＰＡＮ）を含むことが可能である。本明細書に記載された方法および装置は、このような態様に制限されることはない。
【００１０】
無線通信網１００は、一つ以上のプラットフォーム、すなわち、無線局（ＳＴＡ）を有し、当該ＳＴＡには、基地局、先進的基地局（ABS（Advanced  Base  Stations））、加入者局、移動局、先進的移動ＳＴＡ（AMS（Advanced  Mobile  STA））等が含まれるが、これらだけに限定されない局が含まれる。ＡＭＳ１６０の例としては、複数の無線ネットワークおよび／または有線ネットワークをアクセスすることによる異種システム間無線通信が可能な多重無線ＡＭＳが挙げられる。ＡＭＳ１５０の例としては、単一の無線ネットワークにアクセスすることが可能な、または任意の一時点において複数のネットワークにアクセスすることが可能な単無線ＡＭＳが挙げられる。
【００１１】
本発明の一実施形態においては、ＡＭＳ１５０および１６０には、例えば、以下に列挙するような無線電子装置が含まれるが、これらだけに限定はされないデバイスが含まれる。例えば、デスクトップ型コンピュータ、ラップトップ型コンピュータ、ハンドヘルド型コンピュータ、タブレット型コンピュータ、携帯電話、ページャ、オーディオ／映像プレーや（例えば、ＭＰ３プレーやまたはＤＶＤプレーや）、ゲーム機器、ビデオ・カメラ、デジタル・カメラ、ナビゲーション装置（ＧＰＳ装置）、無線周辺機器（例えば、プリンター、スキャナー、ヘッドセット、キーボード、マウス等）、医療機器（例えば、心拍数モニター、血圧モニター等）および／または他の適切な固定型の、可搬型のまたは移動可能な電子装置などである。図１には、６個のＡＭＳが図示されているけれども、本発明に係る他の実施形態においては、無線通信網１００は、より多くの個数の、あるいは、より少ない個数の多重無線ＡＭＳ１５０および／または単無線ＡＭＳ１６０を含むことも可能である。
【００１２】
ＳＴＡは、以下に列挙するような多種多様な変調技法を使用することが可能である。例えば、スペクトル拡散変調（例えば、ダイレクト・シーケンス型の符号分割多重アクセス（ＤＳ−ＣＤＭＡ）および／または周波数ホッピング型の符号分割多重アクセス（ＦＨ−ＣＤＭＡ）など）、時分割多重（ＴＤＭ）変調、周波数分割多重（ＦＤＭ）変調、直交周波数分割多重（ＯＦＤＭ）変調、直交周波数分割多重アクセス（ＯＦＤＭＡ）、多重キャリア変調（ＭＤＭ）、および／または無線通信回線を介して通信することが可能なその他の適切な変調技法等である。
【００１３】
加入者局、移動局または先進的移動局（例えば、多重無線ＡＭＳ１６０および単無線ＡＭＳ１５０）は、無線周波数信号を多数の小さなサブシグナルに分割し、続いてそれらを互いに異なる周波数において同時に送信することにより、デジタルデータを送信するために、ＯＦＤＭ変調またはＯＦＤＭＡ変調を使用する。特に、当該局は、ＷＭＡＮ１４０を実装するためにＯＦＤＭ変調またはＯＦＤＭＡ変調を使用することが可能である。多重無線ＡＭＳ１６０および単無線ＡＭＳ１５０は、IEEE（Institute  of  Electrical  and  Electronic  Engineers）によって標準化が進められた国際標準８０２．１６ファミリーに従って動作することが可能である。その結果、先進的基地局（ＡＢＳ）であっても良い基地局１２０と無線通信回線を介して通信する固定型の、可搬型の、および／または、移動型の局のための広帯域無線アクセス（ＢＷＡ）網（例えば、2004年に発行されたIEEE標準８０２．１６等）を実現することが出来る。
【００１４】
上記した具体例のうちの幾つかは、IEEEによって標準化が進められた国際標準との関連において説明されたけれども、本明細書に開示された方法と装置は、その他の専門家組織および／または標準化組織（例えば、ＷｉＦｉ（Wireless  Fidelity）連盟、ＷｉＭＡＸ（Worldwide  Interoperability  for  Microwave  Access）フォーラム、ＩｒＤＡ（Infrared  Data  Association）、３ＧＰＰ（The  3rd  Generation  Partnership  Project）など）によって標準化が進められた多くの規格や標準に合わせて直ちに適用することが可能である。例えば、本発明の一実施形態においては、無線通信網１００は、３ＧＰＰのＬＴＥ（Long-Term  Evolution）規格に沿って動作することが可能である。
【００１５】
本発明の一実施形態においては、アクセスポイント１１０と基地局１２０とは、特定の通信規格に従って通信し、このような通信規格は、IEEE  802.11(a)、802.11(b)、802.11(g)、802.11(h)、802.11(n)、802.16-2004、802.16(e)、802.16(m)およびこれらのバリエーションや発展型の通信規格および／またはＷＬＡＮに関する提案中の規格などを含むがこれらだけに限定されない規格を含む。しかしながら、本発明の技術的範囲はこれらの具体例によって限定解釈されるものではない。何故なら、本発明の実施形態における上記アクセスポイントと基地局とは、他の技法や標準規格に従って、複数の通信を送信したり受信したりするのにも適しているからである。
【００１６】
ＩＥＥＥ８０２．１１およびＩＥＥＥ８０２．１６標準規格に関するより詳細な情報に関しては、「システム間での遠隔通信と情報交換」に関する「情報技術分野のIEEE標準」である非特許文献１および非特許文献２を参照されたい。
【００１７】
ＷＬＡＮ１３０およびＷＭＡＮ１４０は、共通の公衆網または共通のプライベート網に動作可能に結合されることが可能であり、そのような共通の公衆網またはプライベート網は、例えば、インターネット、電話網（例えば、ＰＳＴＮ（Public  Switched  Telephone  Network））、ローカルエリア・ネットワーク（ＬＡＮ）、ケーブル網、および／またはイーサネット（登録商標）との接続を介したその他の無線ネットワーク、デジタル加入者回線（ＤＳＬ）、電話回線、同軸ケーブル、および／または任意の無線接続などを含む。
【００１８】
無線通信網１００は、その他の好適な無線通信ネットワークを含むことも可能である。例えば、無線通信網１００は、無線ワイドエリア・ネットワーク（ＷＷＡＮ）（図示せず）を含むことも可能である。当該局は、ＷＷＡＮをサポートするために、上記した以外の無線通信プロトコルに従って動作することも可能である。特に、これらの無線通信プロトコルは、アナログ、デジタル、および／またはデュアル・モードの通信システム技術に基づくことが可能である。これらの通信システム技術は、例えば、ＧＳＭ（登録商標）（Global  System  for  Mobile  communications）技術、ＷＣＤＭＡ（広帯域符号分割多重アクセス）技術、ＧＰＲＳ（General  Packet  Radio  Services）技術、ＥＤＧＥ（Enhanced  Data  GSM（登録商標）  Environment）技術、ＵＭＴＳ（Universal  Mobile  Telecommunication  System）技術などを含み、さらには、これらの技術に基づいて標準化された規格、これらの規格のバリエーションや発展型、および／またはその他の好適な無線通信規格などを含む。
【００１９】
無線通信網１００は、さらに、上記した以外のＷＰＡＮ，ＷＬＡＮ，ＷＭＡＮ，および／またはＷＷＡＮのためのデバイス（図示せず）を含むことが可能である。このようなデバイスには、例えば、ネットワーク・インターフェースとしての装置および周辺機器（例えば、ネットワーク・インターフェース・カード（ＮＩＣ））、アクセスポイント（ＡＰ）、再配送ポイント、エンド・ポイント、ゲートウェイ、ブリッジ、ハブ等が含まれ、これらは、以下に列挙するような通信システムを実現するためのものである。例えば、携帯電話システム、衛星通信システム、パーソナル通信システム（ＰＣＳ）、双方向無線システム、片方向ページャ・システム、双方向ページャ・システム、パーソナル・コンピュータ（ＰＣ）システム、パーソナル・デジタル・アシスタント（ＰＤＡ）システム、パーソナル・コンピューティング・アクセサリ（ＰＣＡ）システム、および／またはその他の好適な通信システム等である。上記において具体的な複数の実例が列挙されたけれども、本明細書が開示する技術的範囲はこれらの具体例によって限定解釈されるものではない。
【００２０】
本発明の一実施形態においては、基地局１２０は、A-A-MAP  IEを生成し、当該A-A-MAP  IE内の情報コンテンツをランダム化して、ランダム化されたA-A-MAP  IEを生成する。基地局１２０は、ランダム化されたA-A-MAP  IEを処理してA-A-MAPシンボルを形成し、当該A-A-MAPシンボルをＡＭＳ１５０および１６０に対して送信する。A-A-MAP  IE内の情報コンテンツの上記ランダム化処理は、ＡＭＳ１５０および１６０がA-A-MAP  IE内の情報コンテンツを復号化する際に、ＡＭＳ１５０および１６０による誤検出の発生確率を低減する。
【００２１】
図２は、本発明の一実施形態における時分割動作モード時のA-MAP（Advanced  MAP）のフィールド配置を図示する。本発明の一実施形態においては、基地局１２０は、ＡＭＳ１５０および１６０に対してスーパーフレームを送信する。各スーパーフレームは、複数個のフレームから構成されており、各フレームは、複数個のＡＡＩ（Advanced  Air  Interface）サブフレームから構成されている。図２は、ＴＤＤ通信モードにおいて構成されている７個のＡＡＩサブフレームを図示している。
【００２２】
本発明の一実施形態においては、当該複数のＡＡＩサブフレームは、４個の下りリンク（ＤＬ）サブフレーム（ＳＦ）として、図中で２１２、２２２、２３２および２４２で示されるDL  SF0〜DL  SF3を有し、４個の上りリンク（ＵＬ）サブフレーム（ＳＦ）として、図中で２５２、２６２、２７２および２８２で示されるUL  SF0〜UL  SF3を有する。本発明の一実施形態においては、図中で２１２、２２２、２３２および２４２で示されるDL  SF0〜DL  SF3の各々は、図中で２１０、２２０、２３０および２４０で示されるそれぞれのA-MAPを有している。当該A-MAPは、ユーザ毎に特有の制御情報およびユーザ毎に特有ではない制御情報を含むがこれらだけに限定はされない各種制御情報を含むサービス制御情報を伝達する。ユーザ毎に特有の制御情報は、割り当て情報、HARQフィードバック情報および電力制御情報に分割され、これらは、それぞれ割り当てA-MAP、HARQフィードバックA-MAP、および電力制御A-MAP内において伝送される。これらA-MAPの全ては、A-MAP領域と呼ばれる物理リソースの領域を共有する。
【００２３】
A-MAP内のユーザ毎に特有ではない制御情報は、特定のユーザあるいは特定のユーザ・グループに関してだけ専ら使用されることがない情報を含む。A-MAP内のHARQフィードバック制御情報は、上りリンクのデータ伝送に関して、HARQの肯定応答（ＡＣＫ）／否定応答（ＮＡＣＫ）を表す情報を伝達する。電力制御A-MAPは、ＡＭＳに対して、高速電力制御コマンドを伝達する。割り当てA-MAP（A-A-MAP）は、複数の種別の割り当てA-MAP  IE（A-A-MAP  IE）へと分類されるリソース割り当て情報を有する。割り当てA-MAP  IE（A-A-MAP  IE）の各々は、別々に符号化され、単一のＡＭＳまたは複数のＡＭＳのグループに関する情報を伝達する。
【００２４】
図３は、本発明の一実施形態に従うA-MAP領域の構造３００を図示する。主たる周波数区画３１０は、A-MAP領域３１２、分散化領域３１４、および局所化領域３１６を有している。A-MAP領域は３１２は、HARQフィードバックA-MAP３２０、電力制御A-MAP３３０、ユーザ毎に特有ではないA-MAP３４０および割り当てA-MAP３５０を有している。複数のA-MAPの各々は、複数個のシンボル３７０を有している。
【００２５】
割り当てA-MAP（A-A-MAP）３５０は、以下の情報を含むが、これらだけに限定はされないその他の情報も含む。例えば、下りリンク（ＤＬ）基本A-A-MAP  IE、上りリンク（ＵＬ）基本A-A-MAP  IE、ＤＬサブバンドA-A-MAP  IE、ＵＬサブバンドA-A-MAP  IE、フィードバック割り当てA-A-MAP  IE、ＵＬ鳴動コマンドA-MAP  IE、符号分割多重アクセス（ＣＤＭＡ）A-MAP  IE、ＤＬ永続割り当てA-MAP  IE、ＵＬ永続割り当てA-MAP  IE、フィードバック・ポーリングA-MAP  IE等である。
【００２６】
図４は、本発明の一実施形態に従い、複数のA-A-MAPシンボル４７０へと到達するA-A-MAP  IE４１０の符号化チェーン４００を図示する。説明を明確にするために、図４の記載について、図１の記載を参照しながら説明する。本発明の一実施形態においては、基地局１２０は、各ＡＭＳ毎に一個のA-A-MAP  IEを生成する。基地局１２０は、当該A-A-MAP  IEをランダム化モジュール４２０に送信して、ランダム化されたA-A-MAP  IEを生成する。
【００２７】
本発明の一実施形態においては、ランダム化モジュール４２０は、A-A-MAP  IEの情報コンテンツをランダム化しスクランブル処理するための擬似ランダム・バイナリ系列（ＰＲＢＳ（Pseudo  Random  Binary  Sequence））生成器を有する。本発明の一実施形態においては、ＰＲＢＳ生成器は、初期ベクトルを使用して、A-A-MAP  IEの情報コンテンツをランダム化する。当該初期ベクトルは、例えばA-A-MAP  IEのＣＲＣマスクを含むがこれだけに限定されない他の情報も含み得る。特定のＡＭＳに対してA-A-MAP  IEがユニキャスト送信されようとしている時、基地局１２０は、当該ＣＲＣマスクとして、当該特定のＡＭＳの局識別子（ＳＴＩＤ（Station  Identification））を使用する。この事は、結果として得られるランダム系列が異なるＡＭＳ間で互いに異なり、正しいＳＴＩＤを有するＡＭＳだけが当該A-A-MAP  IEを復号化することを可能にする。
【００２８】
基地局１２０は、ランダム化されたA-A-MAP  IEをＣＲＣ付加モジュール４３０に送信する。ＣＲＣ付加モジュール４３０は、当該ランダム化されたA-A-MAP  IEに基づいてＣＲＣチェックサムを生成する。本発明の一実施形態においては、当該生成されたチャックサムはA-A-MAPのＣＲＣマスクを使用してマスク処理がされる。ＣＲＣ付加モジュール４３０は、当該生成されたＣＲＣチェックサムに対してA-A-MAPのＣＲＣマスクとの間での排他的論理和（Exclusive  OR）演算を実行することにより、マスク処理がされたＣＲＣチェックサムを生成する。ＣＲＣ付加モジュール４３０は、当該マスク処理がされたＣＲＣチェックサムを当該ランダム化されたA-A-MAP  IEの末尾に付加して、それをチャネル符号化モジュール４４０に送信する。
【００２９】
チャネル符号化モジュール４４０は、当該ランダム化されたA-A-MAP  IEおよび当該マスク処理がされたＣＲＣチェックサムのチャネル符号化処理を実行し、チャネル符号化済みのデータを生成する。当該生成されたチャネル符号化済みのデータは、ＱＰＳＫ（Quadrature  Phase  Shift  Keying）変調器４５０へと送信される。ＱＰＳＫ変調器４５０は、当該チャネル符号化済みのデータに対するＱＰＳＫ変調を実行し、ＱＰＳＫ変調済みのデータを生成し、当該ＱＰＳＫ変調済みのデータをＭＩＭＯ（Multiple-Input  and  Multiple-Output）エンコーダ／プリコーダ４６０へと送信する。ＭＩＭＯエンコーダ／プリコーダ４６０は、当該ＱＰＳＫ変調済みのデータに対するＭＩＭＯエンコーディング／プリコーディング処理を実行し、A-A-MAPシンボル４７０を生成する。基地局１２０は、無線通信回線を介して、A-A-MAPシンボル４７０をＡＭＳ１５０および１６０に対して送信する。
【００３０】
図５は、本発明の一実施形態に従い、A-A-MAP  IE５７０へと到達する複数のA-A-MAPシンボル５１０の符号化チェーン５００を図示する。説明を明確にするために、図５の記載について、図１の記載を参照しながら説明する。本発明の一実施形態においては、ＡＭＳは基地局１２０からA-A-MAPシンボル５１０を受信する。ＭＩＭＯデコーダ５２０は、A-A-MAPシンボル５１０に対するＭＩＭＯデコーディング処理を実行し、ＱＰＳＫ変調済みのデータを生成する。
【００３１】
ＱＰＳＫ復調器５３０は、当該ＱＰＳＫ変調済みのデータを受信し、当該ＱＰＳＫ変調済みのデータに対するＱＰＳＫ復調を実行し、ＱＰＳＫ復調済みのデータを生成する。チャネル復号化モジュール５４０は、当該ＱＰＳＫ復調済みのデータを受信し、当該ＱＰＳＫ復調済みのデータに対するチャネル復号化処理を実行し、チャネル復号化済みのデータを生成する。
【００３２】
本発明の一実施形態においては、当該チャネル復号化済みのデータは、ランダム化されたA-A-MAP  IEおよびマスク処理がされたＣＲＣチェックサムを有している。ＣＲＣ除去モジュール５５０は、当該チャネル復号化済みのデータを受信して、マスク処理がされたＣＲＣチェックサムのマスクを除去する。本発明の一実施形態においては、ＣＲＣ除去モジュール５５０は、当該マスク処理がされたＣＲＣチェックサムに対してＣＲＣマスクとの間でのビット単位での排他的論理和（Exclusive  OR）演算を実行してマスクが外されたＣＲＣチェックサムを生成することにより、当該マスク処理されたＣＲＣチャックサムのマスクを除去する。本発明の一実施形態においては、ＣＲＣマスクは、A-A-MAPシンボル５１０を復号化するＡＭＳのＳＴＩＤを備えている。
【００３３】
ＣＲＣ除去モジュール５５０は、当該ランダム化されたA-A-MAP  IEのチェックサムを計算し、当該計算されたチェックサムを当該マスクが除去されたＣＲＣチェックサムと比較する。当該計算されたチェックサムと当該マスクが除去されたＣＲＣチェックサムとが一致するならば、それは、そのＡＭＳがA-A-MAP  IEの意図された受信者であることを示し、ＣＲＣ除去モジュール５５０は、当該ランダム化されたA-A-MAP  IEを逆スクランブル処理モジュール５６０へと送信する。何故ならば、各ＡＭＳは、固有のＳＴＩＤを有しており、正しいＳＴＩＤを有するＡＭＳだけがマスク処理されたＣＲＣチェックサムのマスクを除去して正しいチェックサムを得ることが出来るからである。もしも、当該計算されたチェックサムが当該マスクを除去したＣＲＣチェックサムと一致しないならば、それは、そのＡＭＳが、A-A-MAP  IEの意図された受信者ではないことを示し、ＣＲＣ除去モジュール５５０は、当該ランダム化されたA-A-MAP  IEを破棄する。
【００３４】
逆スクランブル処理モジュール５６０が、当該ランダム化されたA-A-MAP  IEを受信すると、逆スクランブル処理モジュール５６０は、受信したランダム化されたA-A-MAP  IEを逆スクランブル処理して、逆スクランブル済みのA-A-MAP  IEを得る。ＡＭＳは、逆スクランブル済みのA-A-MAP  IEに対して正当性の検証処理を実行し、逆スクランブル済みのA-A-MAP  IEが破損していないか否かを判定する。本発明の一実施形態においては、ＡＭＳは、逆スクランブル済みのA-A-MAP  IEの一つ以上の部分が予め定められた値に従って設定されているか否かを判定することによって、逆スクランブル済みのA-A-MAP  IEが破損していないか否かを判定する。
【００３５】
例えば、本発明の一実施形態においては、A-A-MAP  IEは一つ以上の予約ビットを有する。ＡＭＳは、当該複数の予約ビットが予め定められた値に従って設定されているか否かを判定することによって、逆スクランブル済みのA-A-MAP  IEが破損していないか否かを判定する。本発明のその他の実施形態においては、ＡＭＳは、当該逆スクランブル済みのA-A-MAP  IEの一つ以上の特定のフィールドが予め定められた値または数値範囲を超えて設定されているか否かを判定することによって、当該逆スクランブル済みのA-A-MAP  IEが破損していないか否かを判定する。例えば、当該A-A-MAP  IE内の一つの特定のフィールドは、下限値の設定値および／または上限値の設定値を有している。ＡＭＳは、当該逆スクランブル済みのA-A-MAP  IEの一つ以上の特定のフィールドが下限値の設定値および／または上限値の設定値を超えて設定されているか否かを判定することによって、当該逆スクランブル済みのA-A-MAP  IEが破損していないか否かを判定する。当業者は、本発明の実体的内容に影響を与えることなく、当該逆スクランブル済みのA-A-MAP  IEが破損していないか否かを判定するために、上記以外の方法を使用することが可能であることを直ちに理解するであろう。
【００３６】
本発明の一実施形態においては、当該A-A-MAP  IE内の情報コンテンツのランダム化処理は、A-A-MAP  IEの誤検出を検出することが出来る確率を増加させる。何故ならば、当該A-A-MAP  IEがランダム化処理を全く行うことなく送信された場合、エラー・パターンが複数の予約ビットの全てまたは一部を占有している場合に限り、当該エラー・パターンが正当性の検証処理によって検出可能となるからである。A-A-MAP  IEのランダム化処理を使用することによって、スクランブル処理が当該複数の予約ビット内において不正な値を生成することになるので、エラーの検出は、エラー・パターンとは独立したものになる。A-A-MAP  IE内のどこかに配置されている複数の予約ビットの位置は、自動的にランダム化されて、任意の設定における当該予約ビットの目一杯の利用を達成する。加えて、A-A-MAP  IE内において、一定値に設定された一つ以上のビットが存在する場合、これらの一つ以上のビットもまたスクランブル処理され、誤検出の発生確率を低減するためのさらに踏み込んだ正当性の検証処理を可能にする。
【００３７】
図６は、本発明の一実施形態に従うＰＲＢＳモジュール６００を図示する。説明を明確にするために、図６については、図４および図５を参照しながら説明する。本発明の一実施形態においては、ＰＲＢＳモジュールはランダム化モジュール４２０および逆スクランブル処理モジュール５６０の中に存在する。本発明の一実施形態に従うならば、ＰＲＢＳモジュール６００は、１５個のビットを有する初期ベクトルを有する。本発明の一実施形態においては、ＰＲＢＳモジュールの多項式は１＋Ｘ14＋Ｘ15として設定される。排他的論理和（ＸＯＲ）ゲート６２０は、初期ベクトル６１０が出力する第１３ビットと第１４ビットを入力として使用する。ＸＯＲゲート６２０は、初期ベクトル６１０の第０ビットとするための出力を生成する。
【００３８】
ランダム化モジュール４２０の内部においては、入力データ６４０は、A-A-MAP  IE  ４１０を備える。初期ベクトル６１０は、当該A-A-MAP  IE  ４１０が関係付けられているＡＭＳのＳＴＩＤとして設定される。A-A-MAP  IE  ４１０の情報内容は、ＰＲＢＳモジュール６００に対して（最上位ビット（ＭＳＢ）から順に）逐次的に／直列的に供給され、あるいは読み出される。A-A-MAP  IE  ４１０の複数のビットはＸＯＲゲート６３０を使用してＰＲＢＳモジュール６００の出力との間でＸＯＲ演算がされる。この時、A-A-MAP  IE  ４１０のＭＳＢ（最上位ビット）はＰＲＢＳモジュール６００の出力の第１ビットとの間でＸＯＲ演算がされる。本発明の一実施形態においては、ＰＲＢＳモジュール６００からの出力データ６４０は、上記したランダム化されたA-A-MAP  IEを形成する。
【００３９】
ランダム化モジュール５６０の内部においては、入力データ６４０は、A-A-MAP  IE  ４１０を備える。初期ベクトル６１０は、当該A-A-MAP  IE  ４１０が関係付けられているＡＭＳのＳＴＩＤとして設定される。A-A-MAP  IE  ４１０の情報内容は、ＰＲＢＳモジュール６００に対して（最上位ビット（ＭＳＢ）から順に）逐次的に／直列的に供給され、あるいは読み出される。A-A-MAP  IE  ４１０の複数のビットはＸＯＲゲート６３０を使用してＰＲＢＳモジュール６００の出力との間でＸＯＲ演算がされる。この時、A-A-MAP  IE  ４１０のＭＳＢ（最上位ビット）はＰＲＢＳモジュール６００の出力の第１ビットとの間でＸＯＲ演算がされる。本発明の一実施形態においては、ＰＲＢＳモジュール６００からの出力データ６４０は、逆ランダム化された、すなわち、逆スクランブル処理がされたA-A-MAP  IEを形成する。
【００４０】
図６中で図示されているＰＲＢＳモジュール６００は、限定的な意味に解釈されるべきではない。本発明のその他の実施形態においては、ＰＲＢＳモジュールは、本発明の実体的内容に影響を与えることなく、入力データ６４０をスクランブル処理し、または逆スクランブル処理するために、上記したものとは異なる多項式を使用する。
【００４１】
図７は、本発明の一実施形態に従うスクランブル処理動作のフローチャート７００を図示する。ステップ７１０において、フロー７００は、A-A-MAP  IEを受信する。ステップ７２０において、A-A-MAP  IEの情報コンテンツはスクランブル処理されて、ランダム化されたA-A-MAP  IEが生成される。本発明の一実施形態においては、A-A-MAP  IEの情報コンテンツのスクランブル処理は、当該A-A-MAP  IEと関係付けられたＡＭＳのＳＴＩＤを初期ベクトルとして使用するＰＲＢＳモジュール６００を使用して実行される。
【００４２】
ステップ７３０において、当該ランダム化されたA-A-MAP  IEのＣＲＣチェックサムが計算される。ステップ７４０において、フロー７００は、当該ＣＲＣチェックサムをマスク処理する動作を実行して、当該マスク処理されたＣＲＣチェックサムを、当該ランダム化されたA-A-MAP  IEの末尾に付加する。ステップ７５０において、フロー７００は、当該ランダム化されたA-A-MAP  IEおよび当該マスク処理されたＣＲＣチェックサムのチャネル符号化処理を実行する。ステップ７６０において、フロー７００は、当該チャネル符号化済みのデータに対してＱＰＳＫ変調を実行する。ステップ７７０において、フロー７００は、当該ＱＰＳＫ変調済みのデータに対して、ＭＩＭＯエンコーディング／プリコーディング処理を実行し、複数のA-A-MAPシンボルを生成する。当該複数のA-A-MAPシンボルは、無線通信回線を介して、ＡＭＳに送信される。
【００４３】
図８は、本発明の一実施形態に従う逆スクランブル処理動作のフローチャート８００を図示する。ステップ８１０において、フロー８００は、無線通信回線を介して、複数個のA-A-MAPシンボルを受信する。ステップ８２０において、フロー８００は、当該複数個のA-A-MAPシンボルに対するＭＩＭＯデコーディング処理を実行し、ＱＰＳＫ変調済みのデータを生成する。ステップ８３０において、フロー８００は、当該ＱＰＳＫ変調済みのデータに対してＱＰＳＫ復調処理を実行し、チャネル符号化済みのデータを生成する。
【００４４】
ステップ８４０において、フロー８００は、チャネル符号化済みのデータに対してチャネル復号化処理を実行し、チャネル復号化済みのデータを生成する。本発明の一実施形態においては、チャネル復号化済みのデータは、ランダム化されたA-A-MAP  IEおよびマスク処理されたＣＲＣチェックサムを備えている。ステップ８５０において、フロー８００は、当該ランダム化されたA-A-MAP  IEのチェックサムを計算し、ＣＲＣチェックサムを生成する。ステップ８６０において、フロー８００は、マスク処理されたＣＲＣチェックサムのマスクを除去する。本発明の一実施形態においては、当該マスク処理されたＣＲＣチェックサムからの当該マスクの除去は、当該マスク処理されたＣＲＣチェックサムに対して、当該複数個のA-A-MAPシンボルを受信しているＡＭＳのＳＴＩＤとの間でのＸＯＲ演算を実行することによって達成される。
【００４５】
ステップ８７０において、フロー８００は、当該計算されたＣＲＣチェックサムと当該マスクが除去されたＣＲＣチェックサムとが同一であるか否かを検査する。上記の２つのＣＲＣチェックサムが互いに一致するならば、それは、当該複数のA-A-MAP  IEを受信中のＡＭＳが意図された受信者であることを示す。何故ならば、基地局がマスク処理されたＣＲＣチェックサムを生成する際、基地局は意図されたＡＭＳのＳＴＩＤを使用するので、当該意図されたＡＭＳだけが、当該マスク処理されたＣＲＣチェックサムのマスクを正しく除去することが出来るからである。フロー８００は、ＣＲＣチェックサムが一致する場合には、ステップ８８０に進む。ＣＲＣチェックサムが一致しない場合には、フロー８００は終了する。
【００４６】
ステップ８８０において、フロー８００は、当該ランダム化されたA-A-MAP  IEを逆スクランブル処理する。本発明の一実施形態においては、A-A-MAP  IEの情報コンテンツの逆スクランブル処理は、当該複数のA-A-MAPシンボルを受信中のＡＭＳに関するＳＴＩＤを初期ベクトルとして使用するＰＲＢＳモジュール６００を使用して実行される。ステップ８９０において、フロー８００は、逆スクランブル処理がされたA-A-MAP  IEの情報内容の正当性を検証する。本発明の一実施形態においては、逆スクランブル済みのA-A-MAP  IEの当該情報内容のフロー８００による正当性の検証は、逆スクランブル処理がされたA-A-MAP  IE内の複数の予約ビットが既知の値に設定されているか否かを検査することによって実行される。本発明のその他の実施形態においては、逆スクランブル処理がされたA-A-MAP  IE内の一つ以上のフィールドは、下限値の設定値と上限値の設定値を有している。フロー８００は、当該逆スクランブル済みのA-A-MAP  IEの一つ以上のフィールドが下限値の設定値および／または上限値の設定値を超えて設定されているか否かを検査することによって、当該逆スクランブル済みのA-A-MAP  IEの情報内容の正当性を検証する。
【００４７】
図９は、本発明の一実施形態に従って本明細書中において開示された方法を実装するためのシステム９００を図示する。システム９００は、デスクトップ型コンピュータ、ラップトップ型コンピュータ、ネット・ブック、ノートブック型コンピュータ、パーソナル・デジタル・アシスタント（ＰＤＡ）、サーバ、ワークステーション、携帯電話、モバイル・コンピューティング・デバイス、インターネット・アプライアンス、または上記以外の任意のタイプのコンピューティング・デバイスを含むが、これらだけに限定はされない。本発明のその他の実施形態においては、本明細書中において開示された方法を実装するために使用されるシステム９００は、システムＬＳＩ（ＳｏＣ（System  On  a  Chip））であってもよい。
【００４８】
プロセッサ９１０は、システム９００の命令を実行するためのプロセッサ・コア９１２を有している。プロセッサ・コア９１２は、以下のロジックを含むが、これらだけに限定はされないその他のロジックをも含む。例えば、命令をフェッチするためのプリ・フェッチ・ロジック、命令をデコードするためのデコード・ロジック、命令を実行するための実行ロジック等である。プロセッサ９１０は、システム９００の命令および／またはデータを一時記憶するためのキャッシュ・メモリ９１６を有している。本発明のその他の実施形態においては、キャッシュ・メモリ９１６は、レベル１、レベル２およびレベル３のキャッシュ・メモリ、あるいはプロセッサ９１０内の上記以外の任意の構成のキャッシュ・メモリを含むが、これらだけに限定はされない。
【００４９】
メモリ制御ハブ（ＭＣＨ）９１４は、揮発性メモリ９３２および不揮発性メモリ９３４の両者を含むメモリ９３０に対するアクセスとこれとの間の通信をプロセッサ９１０が行うことを可能にするための機能を実行する。揮発性メモリ９３２は、例えば以下のものを含むがこれらだけには限定されない。例えば、ＳＤＲＡＭ（Synchronous  Dynamic  Random  Access  Memory）、ＤＲＡＭ（Dynamic  Random  Access  Memory）、ＲＤＲＡＭ（RAMBUS  Dynamic  Random  Access  Memory）、あるいは上記以外の任意のタイプのランダム・アクセス・メモリ・デバイス等である。不揮発性メモリ９３４は、例えば以下のものを含むがこれらだけには限定されない。例えば、ＮＡＮＤフラッシュメモリ、位相変化メモリ（ＰＣＭ）、読み出し専用メモリ（ＲＯＭ）、電気的消去可能なプログラマブル読み出し専用メモリ（ＥＥＰＲＯＭ）、あるいは上記以外の任意のタイプの不揮発性メモリ・デバイス等である。
【００５０】
メモリ９３０は、プロセッサ９１０によって実行される命令および情報を記憶する。プロセッサ９１０が命令を実行しているのと並行して、メモリ９３０はさらに、一時変数や他の中間的な情報を記憶することも可能である。チップセット９２０は、ポイント・ツー・ポイント（ＰｔＰ）インターフェース９１７および９２２を介して、プロセッサ９１０と接続している。チップセット９２０は、プロセッサ９１０が、システム９００内の他のモジュールと接続することを可能にする。本発明の一実施形態においては、インターフェース９１７および９２２は、Intel社のQuickPath  Interconnect（QPI）等の様なＰｔＰ通信プロトコルに従って動作する。チップセット９２０は、ディスプレイ装置９４０と接続し、ディスプレイ装置９４０は、例えば、液晶ディスプレイ（ＬＣＤ）、陰極線管（ＣＲＴ）ディスプレイ、あるいは上記以外の任意の形態の視覚的ディスプレイ装置を含むがこれらだけに限定されない。
【００５１】
加えて、チップセット９２０は、多種多様なモジュール９７４、９６０、９６２、９６４および９６６を相互接続している一つ以上のバス９５０および９５５と接続する。バス９５０と９５５とは、これらのバスの間にバス速度や通信プロトコルの不一致がある場合に、バス・ブリッジ９７２を介して互いに相互接続される。チップセット９２０は、例えば、不揮発性メモリ９６０、大容量記憶装置９６２、キーボード／マウス９６４およびネットワーク・インターフェース９６６を含むがこれらだけには限定されないモジュールと接続する。大容量記憶装置９６２は、例えば、以下のような装置を含むがこれらだけに限定はされない。例えば、半導体ドライブ、ハードディスク・ドライブ、ＵＳＢフラッシュメモリ・ドライブ、あるいは上記以外の任意の形態のコンピュータ・データ記憶媒体などである。ネットワーク・インターフェース９６６は、周知のネットワーク・インターフェース標準規格の何らかのタイプを使用して実装される。これらの標準規格は、Ethernet（登録商標）インターフェース、USB（Universal  Serial  Bus）インターフェース、PCI（Peripheral  Component  Interconnect）Expressインターフェース、無線インターフェース、および／または上記以外の好適なタイプのインターフェースを含むが、これらだけに限定はされない。無線インターフェースは、例えばIEEE802.11標準とその関連するファミリー規格、Home  Plug  AV（HPAV）、Ultra  Wide  Band（ＵＷＢ）、Bluetooth（登録商標）、WiMAXを含むがこれらだけに限定されない任意の形態の無線通信プロトコルに従って動作する。
【００５２】
図９に示された複数のモジュールは、システム９００内で別々のブロックとして図示されているけれども、これらのブロックのうちの幾つかによって実行される機能は、単一の半導体回路の中に集積されても良く、または２個以上の個別の集積回路を使用して実装されても良い。例えば、キャッシュ・メモリ９１６は、プロセッサ９１０の中で個別のブロックとして図示されているけれども、キャッシュ・メモリ９１６は、プロセッサ・コア９１２の内部に組み込まれることも可能である。本発明のその他の実施形態においては、システム９００は、２個以上のプロセッサ／プロセッサ・コアを含むことも可能である。
【００５３】
本明細書中において開示された方法は、ハードウェア、ソフトウェア、ファームウェア、あるいはこれらの何れかの組み合わせにおいて実装することが可能である。本明細書で開示された発明の主題に関する実施形態の幾つかの実例が説明され、本明細書で開示された発明の主題を実装するその他の多くの方法が代替的に使用されることも可能であることが当業者には直ちに理解される。以上の記述において、本明細書が開示する発明の主題の多種多様な側面が説明された。説明の都合上、発明の主題に対する包括的な理解を提供するために、具体的な数字、システム、および構成が上述された。しかしながら、本明細書の教示に接した当業者には、本発明の主題が、特定の詳細内容を教示されること無しに実施され得ることが明らかであろう。他の具体例においては、本明細書に開示された発明の主題を不明確なものとしないために、周知の技術的事項、部品、またはモジュールは省略され、簡略化され、組み合わされ、あるいは分割された。
【００５４】
本明細書中において使用されてきた用語「動作可能な」とは、デバイス、システム、プロトコル等が動作することが可能である、あるいは、当該デバイスやシステムが電源が切られた状態にある際に、その望ましい機能に関して動作することが出来るように準備がされていることを意味する。本明細書で開示された発明の主題に関する多種多様な実施形態は、ハードウェア、ソフトウェア、ファームウェア、あるいはこれらの何れかの組み合わせにおいて実装することが可能であり、これらの実施形態は、プログラム・コードを参照することにより、あるいはプログラム・コードとの関連において、説明することも可能である。プログラム・コードを具体例には、命令、関数、プロシージャ、データ構造、ロジック、アプリケーション・プログラム、あるいは、設計内容のシミュレーション工程やエミュレーション工程や製造工程のための設計表現や各種フォーマットなどが含まれ、これらは機械によりアクセスされた際に、機械により実行されるタスク、抽象データ型または下位レベルのハードウェア・コンテキストの定義動作、あるいは計算結果の生成動作を結果として生じさせる。
【００５５】
図面中に示された複数の技法は、汎用コンピュータやコンピューティング・デバイスのような一つ以上のコンピューティング・デバイス上に記憶され、実行されるコードおよびデータを使用して実装することが可能である。そのようなコンピューティング・デバイスは、機械読み出し可能記憶媒体（例えば、磁気ディスク、光ディスク、ランダム・アクセス・メモリ、読み出し専用メモリ、フラッシュメモリ・デバイス、位相変化メモリなど）や機械読み出し可能通信媒体（例えば、搬送波、赤外線信号、デジタル信号などのような電気的、光学的、音響的、あるいは上記以外の他の形態の伝播信号など）のような機械読み出し可能媒体を使用してコードとデータを記憶し、（内部的に、あるいは、ネットワークを介して他のコンピューティング・デバイスとの間で）通信する。
【００５６】
本明細書が開示する発明の主題は、例示的な実施形態を参照しながら記述されたけれども、この記述は、限定的な意味に解釈されることを意図していない。本発明の主題と関係する技術分野の当業者にとっては明らかなように、本発明の主題と関係するその他の複数の実施形態と共に、上記のような例示的な実施形態の多種多様な変形実施例もまた、本明細書が開示する発明の主題の範囲内であると解釈されるべきである。
【図１】
2013526100.tif 000003
【図２】
2013526100.tif 000004
【図３】
2013526100.tif 000005
【図４】
2013526100.tif 000006
【図５】
2013526100.tif 000007
【図６】
2013526100.tif 000008
【図７】
2013526100.tif 000009
【図８】
2013526100.tif 000010
【図９】
2013526100.tif 000011
【手続補正書】
【提出日】平成24年9月4日(2012.9.4)
【手続補正１】
【補正対象書類名】特許請求の範囲
【補正対象項目名】全文
【補正方法】変更
【補正の内容】
【特許請求の範囲】
【請求項１】
A-A-MAP（Assignment  Advanced  Media  Access  Protocol）IE（Information  Element）を生成し、かつ、ランダム化されたA-A-MAP  IEを生成するロジック、
を備える装置。
【請求項２】
前記ランダム化されたA-A-MAP  IEを生成する前記ロジックは、
ＰＲＢＳ（擬似ランダム・バイナリ系列）を生成するロジックを備え、前記ＰＲＢＳの前記生成は、少なくとも部分的に、前記A-A-MAP  IEおよびA-A-MAPのＣＲＣ（Cyclic  Redundancy  Check）マスクに基づく、請求項１記載の装置。
【請求項３】
前記A-A-MAP  IEは、ＡＭＳ（Advanced  Mobile  Station）と関係付けられ、前記A-A-MAPのＣＲＣマスクは、前記ＡＭＳのＳＴＩＤ（Station  Identification）を備える、請求項２記載の装置。
【請求項４】
前記ランダム化されたA-A-MAP  IEに基づいて、ＣＲＣ（Cyclic  Redundancy  Check）チェックサムを生成するロジック；
前記生成されたＣＲＣチェックサムに対して、ＣＲＣマスクとの間で排他的論理和演算を実行し、マスク処理がされたＣＲＣチェックサムを生成するロジック；および、
前記マスク処理がされたＣＲＣチェックサムを、前記ランダム化されたA-A-MAP  IEの末尾に付加するロジック、
をさらに備える請求項１記載の装置。
【請求項５】
前記ランダム化されたA-A-MAP  IEおよび前記マスク処理がされたＣＲＣチェックサムに対してチャネル符号化処理を実行して、チャネル符号化済みのデータを生成するロジック；
チャネル符号化済みのデータに対してＱＰＳＫ（Quadrature  Phase  Shift  Keying）変調を実行して、ＱＰＳＫ変調済みのデータを生成するロジック；および、
前記ＱＰＳＫ変調済みのデータに対して、ＭＩＭＯ（Multiple-Input  Multiple-Output）エンコーディング処理を実行して、複数のA-A-MAPシンボルを生成するロジック、
をさらに備える、請求項４記載の装置。
【請求項６】
前記A-A-MAP  IEは、下りリンク（ＤＬ）基本A-A-MAP  IE、上りリンク（ＵＬ）基本A-A-MAP  IE、ＤＬサブバンドA-A-MAP  IE、ＵＬサブバンドA-A-MAP  IE、フィードバック割り当てA-A-MAP  IE、ＵＬ鳴動コマンドA-MAP  IE、符号分割多重アクセス（ＣＤＭＡ）A-MAP  IE、ＤＬ永続割り当てA-MAP  IE、ＵＬ永続割り当てA-MAP  IE、フィードバック・ポーリングA-MAP  IEの中のいずれか一つを備える請求項１記載の装置。
【請求項７】
ランダム化されたA-A-MAP  IEを受信するロジック；
前記受信された前記ランダム化されたA-A-MAP  IEに対して逆スクランブル処理を実行し、逆スクランブル済みのA-A-MAP  IEを取得するロジック；および、
前記逆スクランブル済みのA-A-MAP  IEが破損しているか否かを判定するロジック、
を備える装置。
【請求項８】
前記受信された前記ランダム化されたA-A-MAP  IEに対して前記逆スクランブル処理を実行し、前記逆スクランブル済みのA-A-MAP  IEを取得する前記ロジックは、
前記受信された前記ランダム化されたA-A-MAP  IEに対して、ＣＲＣ（Cyclic  Redundancy  Check）マスクとの間で排他的論理和演算を実行して、前記逆スクランブル済みのA-A-MAPを生成するロジックを備える、請求項７記載の装置。
【請求項９】
前記逆スクランブル済みのA-A-MAP  IEが破損しているか否かを前記判定する前記ロジックは、
前記逆スクランブル済みのA-A-MAP  IE内の一つ以上の部分が、予め定められた値に従って設定されているか否かを判定するロジックを備える、請求項７記載の装置であって、
前記逆スクランブル済みのA-A-MAP  IE内の前記一つ以上の部分は、前記逆スクランブル済みのA-A-MAP  IE内において、予約ビットのフィールドおよび一定値に固定されたフィールドのいずれか一つ以上を備える請求項７記載の装置。
【請求項１０】
前記逆スクランブル済みのA-A-MAP  IEが破損しているか否かを前記判定する前記ロジックは、
前記逆スクランブル済みのA-A-MAP  IE内の一つ以上の部分が、予め定められた値を超えて設定されているか否かを判定するロジックを備える、請求項７記載の装置であって、
前記逆スクランブル済みのA-A-MAP  IE内の前記一つ以上の部分は、前記逆スクランブル済みのA-A-MAP  IE内において、予約ビットのフィールドおよび一定値に固定されたフィールドのいずれか一つ以上を備える請求項７記載の装置。
【請求項１１】
複数のA-A-MAPシンボルを受信するロジック；
前記複数のA-A-MAPシンボルに対してＭＩＭＯ（Multiple-Input  Multiple-Output）デコーディング処理を実行して、A-A-MAPの変調済みのデータを生成するロジック；
前記A-A-MAPの変調済みのデータに対してＱＰＳＫ（Quadrature  Phase  Shift  Keying）復調を実行して、ＱＰＳＫ復調済みのデータを生成するロジック；および、
前記ＱＰＳＫ復調済みのデータに対してチャネル復号化処理を実行して、チャネル復号化済みのデータを生成するロジック、
をさらに備える請求項１１記載の装置。
【請求項１２】
前記チャネル復号化済みのデータは、前記受信された前記ランダム化されたA-A-MAP  IEおよびマスク処理されたＣＲＣを備え、
前記装置は、
前記マスク処理されたＣＲＣに対して、ＣＲＣマスクとの間でのビット単位の排他的論理和演算を実行して、ＣＲＣチェックサムを生成するロジック；および、
前記ＣＲＣチェックサムが正しいか否かを検査するロジック、
をさらに備える、請求項１１記載の装置。
【請求項１３】
A-A-MAP（Assignment  Advanced  Media  Access  Protocol）IE（Information  Element）を符号化処理することにより、複数のA-A-MAPシンボルを構築するステップであって、A-A-MAP  IEはランダム化されるステップ、
を備える方法。
【請求項１４】
ＰＲＢＳ（擬似ランダム・バイナリ系列）を生成するステップをさらに備え、前記ＰＲＢＳの前記生成は、少なくとも部分的には、前記A-A-MAP  IEおよびA-A-MAPのＣＲＣ（Cyclic  Redundancy  Check）マスクに基づき、前記ランダム化されたA-A-MAP  IEは、前記生成された前記ＰＲＢＳを備える、請求項１３記載の方法。
【請求項１５】
前記A-A-MAP  IEを前記符号化処理することにより、前記複数のA-A-MAPシンボルを前記構築する前記ステップは、
前記ランダム化されたA-A-MAP  IEに基づいて、ＣＲＣ（Cyclic  Redundancy  Check）チェックサムを生成するステップ；
前記生成されたＣＲＣチェックサムに対して、ＣＲＣマスクとの間で排他的論理和演算を実行し、マスク処理がされたＣＲＣチェックサムを生成するステップ；および、
前記マスク処理がされたＣＲＣチェックサムを、前記ランダム化されたA-A-MAP  IEの末尾に付加するステップ、
前記ランダム化されたA-A-MAP  IEおよび前記マスク処理がされたＣＲＣチェックサムに対してチャネル符号化処理を実行して、チャネル符号化済みのデータを生成するステップ；
チャネル符号化済みのデータに対してＱＰＳＫ（Quadrature  Phase  Shift  Keying）変調を実行して、ＱＰＳＫ変調済みのデータを生成するステップ；および、
前記ＱＰＳＫ変調済みのデータに対して、ＭＩＭＯ（Multiple-Input  Multiple-Output）エンコーディング処理を実行して、複数のA-A-MAPシンボルを生成するステップ、
を備える請求項１３記載の方法。
【国際調査報告】
2013526100.tif 000012
2013526100.tif 000013